【手続補正書】
【提出日】平成27年2月9日(2015.2.9)
【手続補正１】
【補正対象書類名】明細書
【補正対象項目名】０００６
【補正方法】変更
【補正の内容】
【０００６】
以上の課題を解決するための本発明に係る投影装置は、複数の色の光を順次繰り返し出射する時分割光発生装置と、前記時分割光発生装置によって出射された光を変調することで、画像を形成する表示素子と、前記表示素子によって形成された画像を投影する投影光学系と、前記時分割光発生装置によって出射された光の照度を電気信号に変換して出力する照度センサーと、前記照度センサーの出力を第１の閾値と比較して、前記照度センサーの出力が前記第１の閾値を超える場合に前記時分割光発生装置の作動を継続させ、前記照度センサーの出力が前記第１の閾値を下回る場合に前記時分割光発生装置の作動を停止させる点灯判定手段と、を備えることを特徴とする。
【手続補正２】
【補正対象書類名】明細書
【補正対象項目名】０００７
【補正方法】変更
【補正の内容】
【０００７】
本発明に係るプログラムは、複数の色の光を順次繰り返し出射する時分割光発生装置と、前記時分割光発生装置によって出射された光を変調することで、画像を形成する表示素子と、前記表示素子によって形成された画像を投影する投影光学系と、前記時分割光発生装置によって出射された光の照度を電気信号に変換して出力する照度センサーと、を備える投影装置のコンピューターを、前記照度センサーの出力を第１の閾値と比較して、前記照度センサーの出力が前記第１の閾値を超える場合に前記時分割光発生装置の作動を継続させ、前記照度センサーの出力が前記第１の閾値を下回る場合に前記時分割光発生装置の作動を停止させる点灯判定手段、として機能させることを特徴とする。
【手続補正３】
【補正対象書類名】明細書
【補正対象項目名】０００８
【補正方法】変更
【補正の内容】
【０００８】
本発明に係る投影装置の制御方法は、複数の色の光を順次繰り返し出射する時分割光発生装置と、前記時分割光発生装置によって出射された光を変調することで、画像を形成する表示素子と、前記表示素子によって形成された画像を投影する投影光学系と、前記時分割光発生装置によって出射された光の照度を電気信号に変換して出力する照度センサーと、を備える投影装置の制御方法であって、前記照度センサーの出力を第１の閾値と比較して、前記照度センサーの出力が前記第１の閾値を超える場合に前記時分割光発生装置の作動を継続させ、前記照度センサーの出力が前記第１の閾値を下回る場合に前記時分割光発生装置の作動を停止させることを特徴とする。
【手続補正４】
【補正対象書類名】特許請求の範囲
【補正対象項目名】全文
【補正方法】変更
【補正の内容】
【特許請求の範囲】
【請求項１】
複数の色の光を順次繰り返し出射する時分割光発生装置と、
前記時分割光発生装置によって出射された光を変調することで、画像を形成する表示素子と、
前記表示素子によって形成された画像を投影する投影光学系と、
前記時分割光発生装置によって出射された光の照度を電気信号に変換して出力する照度センサーと、
前記照度センサーの出力を第１の閾値と比較して、前記照度センサーの出力が前記第１の閾値を超える場合に前記時分割光発生装置の作動を継続させ、前記照度センサーの出力が前記第１の閾値を下回る場合に前記時分割光発生装置の作動を停止させる点灯判定手段と、を備えることを特徴とする投影装置。
【請求項２】
前記複数の色の光が発するタイミングを決める発光タイミング信号を出力するタイミング生成手段を備え、
前記時分割光発生装置は前記タイミング生成手段によって出力された発光タイミング信号に従って前記複数の色の光を順次繰り返し出射し、
前記点灯判定手段は、前記タイミング生成手段によって出力された発光タイミング信号による前記複数の色の光のうちの所定の色の光の照射タイミングに同期して、前記照度センサーの出力を前記第１の閾値と比較することを特徴とする請求項１に記載の投影装置。
【請求項３】
前記点灯判定手段は、前記タイミング生成手段によって出力された発光タイミング信号による前記所定の色の光の照射タイミング時に、当該所定の色の光に対応した前記第１の閾値と前記照度センサーの出力とを比較することを特徴とする請求項２に記載の投影装置。
【請求項４】
前記点灯判定手段は、前記照度センサーの出力が前記第１の閾値を超えたタイミングが前記タイミング生成手段によって出力された前記第１の閾値に対応する発光タイミング信号に同期するか否かを判定し、同期と判定した場合に前記時分割光発生装置の作動を継続させ、非同期と判定した場合に前記時分割光発生装置の作動を停止させることを特徴とする請求項２に記載の投影装置。
【請求項５】
前記点灯判定手段は、前記照度センサーの出力と前記第１の閾値及び当該第１の閾値よりも値が大きい第２の閾値とを比較して、前記照度センサーの出力が前記第1の閾値を超え且つ前記第２の閾値を下回る場合に前記時分割光発生装置を作動させ、前記照度センサーの出力が前記第１の閾値を下回る又は前記第２の閾値を超える場合に前記時分割光発生装置を停止させることを特徴とする請求項１乃至請求項４の何れかに記載の投影装置。
【請求項６】
前記複数の色の光が順次繰り返し発するタイミングを決める発光タイミング信号を出力するタイミング生成手段を更に備え、
前記時分割光発生装置は前記タイミング生成手段によって出力された発光タイミング信号に従って前記複数の色の光を順次繰り返し出射し、
前記第１の閾値及び当該第１の閾値よりも高い第２の閾値が前記複数の色の光にそれぞれ対応し、
前記点灯判定手段は、前記タイミング生成手段によって出力された発光タイミング信号による前記複数の色の光のそれぞれの照射タイミングで、前記複数の色の光にそれぞれ対応した前記第１の閾値及び前記第２の閾値と前記照度センサーの出力とを比較し、前記照度センサーの出力が前記第１の閾値を超え且つ前記第２の閾値を下回る場合に前記時分割光発生装置の作動を継続させ、前記照度センサーの出力が前記第１の閾値を下回る又は前記第２の閾値を超える場合に前記時分割光発生装置の作動を停止させることを特徴とする請求項１に記載の投影装置。
【請求項７】
前記複数の色の光が順次繰り返し発するタイミングを決める発光タイミング信号を出力するタイミング生成手段を更に備え、
前記時分割光発生装置は前記タイミング生成手段によって出力された発光タイミング信号に従って前記複数の色の光を順次繰り返し出射し、
前記第１の閾値及び当該第１の閾値より高い第２の閾値は前記複数の色の光にそれぞれ対応し、
前記点灯判定手段は、前記複数の色の光にそれぞれ対応した前記第１の閾値及び前記第２の閾値と前記照度センサーの出力とを比較して、前記照度センサーの出力が前記第１の閾値を超え且つ前記第２の閾値を下回るタイミングが前記タイミング生成手段によって出力された発光タイミング信号に同期するか否かを判定し、同期と判定した場合に前記時分割光発生装置の作動を継続させ、非同期と判定した場合に前記時分割光発生装置の作動を停止させることを特徴とする請求項１に記載の投影装置。
【請求項８】
前記時分割光発生装置は、レーザーダイオードを含むことを特徴とする請求項１乃至請求項７の何れかに記載の投影装置。
【請求項９】
前記点灯判定手段は、コンパレータを有することを特徴とする請求項１乃至請求項８の何れかに記載の投影装置。
【請求項１０】
複数の色の光を順次繰り返し出射する時分割光発生装置と、前記時分割光発生装置によって出射された光を変調することで、画像を形成する表示素子と、前記表示素子によって形成された画像を投影する投影光学系と、前記時分割光発生装置によって出射された光の照度を電気信号に変換して出力する照度センサーと、を備える投影装置のコンピューターを、
前記照度センサーの出力を第１の閾値と比較して、前記照度センサーの出力が前記第１の閾値を超える場合に前記時分割光発生装置の作動を継続させ、前記照度センサーの出力が前記第１の閾値を下回る場合に前記時分割光発生装置の作動を停止させる点灯判定手段、
として機能させることを特徴とするプログラム。
【請求項１１】
複数の色の光を順次繰り返し出射する時分割光発生装置と、前記時分割光発生装置によって出射された光を変調することで、画像を形成する表示素子と、前記表示素子によって形成された画像を投影する投影光学系と、前記時分割光発生装置によって出射された光の照度を電気信号に変換して出力する照度センサーと、を備える投影装置の制御方法であって、
前記照度センサーの出力を第１の閾値と比較して、前記照度センサーの出力が前記第１の閾値を超える場合に前記時分割光発生装置の作動を継続させ、前記照度センサーの出力が前記第１の閾値を下回る場合に前記時分割光発生装置の作動を停止させることを特徴とする投影装置の制御方法。